(57)【要約】  【課題】指輪Ｒに特別な加工を施すことなくペンダントＰに指輪Ｒを容易に取り付ける。  【解決手段】環状の指輪本体Ｒ１を具備する指輪ＲをペンダントＰに留める指輪留め具Ｆにおいて、前記指輪本体Ｒ１に開口する指挿入孔Ｒ２を用いて前記指輪Ｒを係止可能な指輪係止部１と、前記指輪係止部１を前記ペンダントＰのチェーンＣに取り付ける一対のチェーン取付部２，３とを具備し、前記一対のチェーン取付部２，３を前記チェーンＣの長手方向に離間させると共に、当該一対のチェーン取付部２，３の間に前記指輪Ｒを挿入可能とする指輪挿入口４を形成し、当該指輪挿入口４から前記指輪Ｒを挿通して前記指挿入孔Ｒ２にて形成する指挿入孔面の面方向を前記チェーンＣの長手方向と略平行な状態として、前記指輪係止部１に指輪Ｒを係止可能に構成する。  【選択図】図１
0003132887.tif 000002
【実用新案登録請求の範囲】
【請求項１】
環状の指輪本体を具備する指輪をペンダントに留める指輪留め具において、
前記指輪本体に開口する指挿入孔を用いて前記指輪を係止可能な指輪係止部と、
前記指輪係止部を前記ペンダントのチェーンに取り付ける一対のチェーン取付部とを具備し、
前記一対のチェーン取付部を前記チェーンの長手方向に離間させると共に、当該一対のチェーン取付部の間に前記指輪を挿入可能とする指輪挿入口を形成し、
当該指輪挿入口から前記指輪を挿通して前記指挿入孔にて形成する指挿入孔面の面方向を前記チェーンの長手方向と略平行な状態として、前記指輪係止部に指輪を係止可能に構成していることを特徴とする指輪留め具。
【請求項２】
前記指輪係止部が、前記チェーンの長手方向と略直交する方向に延びる係止軸を有し、前記指挿入孔に当該係止軸を挿通可能に構成していることを特徴とする請求項１記載の指輪留め具。
【請求項３】
前記指輪本体に取り付けた装飾体を上向きに保持する装飾体保持部を設けていることを特徴とする請求項１又は２記載の指輪留め具。
【請求項４】
チェーンの長手方向へ前記装飾体が移動することを規制する規制要素を前記指輪係止部の周囲に設け、前記装飾体を上向きに保持する装飾体保持部であることを特徴とする請求項３記載の指輪留め具。
【請求項５】
ペンダントのチェーンに対して着脱可能な構成を有することを特徴とする請求項１乃至４記載の指輪留め具。
【請求項６】
前記チェーン取付部が、前記チェーンを挿通する挿通孔を有することを特徴とする請求項１乃至５記載の指輪留め具。
【請求項７】
曲げ加工を施した１本の棒状部材からなることを特徴とする請求項１乃至６記載の指輪留め具。
【請求項８】
前記指輪係止部の中心に対して点対称な形状を成していることを特徴とする請求項１乃至７記載の指輪留め具。
【請求項９】
前記請求項１乃至８記載の指輪留め具を取り付けたことを特徴とするペンダント。
【考案の詳細な説明】
【技術分野】
【０００１】
この考案は、例えば環状の指輪をペンダントに取り付ける際に好適に利用されるものである。
【背景技術】
【０００２】
従来、例えば水仕事などをする際に一時的に指輪を外し、当該指輪をペンダントのチェーンに通して指輪をペンダントに取り付けておく場合がある。
【０００３】
その他、サイズが合わなくなってしまった指輪をペンダントに固着したり、何らかの加工を施してペンダントトップとして再利用する方法も提案されている。（例えば、特許文献１参照）。
【特許文献１】実公昭５０−２４３８７号
【考案の開示】
【考案が解決しようとする課題】
【０００４】
しかしながら、ペンダントのチェーンに指輪を直接的に通す方法では、チェーンの長手方向に対して指輪が直交する状態になってしまう。
【０００５】
一方、指輪に加工を施す方法では、好みの向きに指輪を取り付けることが可能ではあるが、ペンダントに固着してしまうと再び指輪として利用することができないため、一時的に指輪をペンダントに取り付けたい場合には採用することができない。また、複雑な加工は手間がかかるばかりか指輪を損傷する恐れがある。
【課題を解決するための手段】
【０００６】
そこで、本願は、環状の指輪本体を具備する指輪をペンダントに留める指輪留め具において、前記指輪本体に開口する指挿入孔を用いて前記指輪を係止可能な指輪係止部と、前記指輪係止部を前記ペンダントのチェーンに取り付ける一対のチェーン取付部とを具備し、前記一対のチェーン取付部を前記チェーンの長手方向に離間させると共に、当該一対のチェーン取付部の間に前記指輪を挿入可能とする指輪挿入口を形成し、当該指輪挿入口から前記指輪を挿通して前記指挿入孔にて形成する指挿入孔面の面方向を前記チェーンの長手方向と略平行な状態として、前記指輪係止部に指輪を係止可能に構成していることを特徴とする。
【０００７】
このような構成を採用することにより、指輪に特別な加工を施すことなくペンダントに指輪を容易に取り付けることが可能となる。また、指輪の指挿入孔が正面を向く状態で指輪をペンダントに留められる。
【０００８】
更に、例えば、既存のペンダントトップと指輪とを組み合わせて取り付けることもできるため、ペンダントの使用態様を多様化することができる。
【０００９】
また、具体的な態様としては、前記指輪係止部が、前記チェーンの長手方向と略直交する方向に延びる係止軸を有し、前記指挿入孔に当該係止軸を挿通可能に構成することが望ましい。
【００１０】
加えて、前記指輪本体に取り付けた装飾体を上向きに保持する装飾体保持部を設けることにより、宝飾などの装飾体を見栄えのする場所に位置させることができ、更に装飾性の高いペンダントトップとして指輪を活用することが可能となる。
【００１１】
また、簡易な構成にて前記装飾体保持部を構成するためには、チェーンの長手方向へ前記装飾体が移動することを規制する規制要素を前記指輪係止部の周囲に設け、前記装飾体を上向きに保持する装飾体保持部とすることが考えられる。
【００１２】
更に、指輪留め具をペンダントのチェーンに対して着脱可能な構成とすることで、手持ちの様々なペンダントに当該指輪留め具を利用することができる。また、不要の際には当該指輪留め具を外しておくことも可能となる。
【００１３】
加えて、チェーンへの取り付けを容易にするためには、前記チェーン取付部が、チェーンを挿通する挿通孔を有することが望ましい。
【００１４】
また、当該指輪留め具を簡易且つ安価に製造するためには、曲げ加工を施した１本の棒状部材にて構成すると良い。
【００１５】
更に、指輪留め具を前記指輪係止部の中心に対して点対称な形状とすることで、チェーンに対する取り付けの向きを考慮する必要が無くなり、取り付けの利便性を向上することができる。
【考案の効果】
【００１６】
これにより、指輪に特別な加工を施すことなくペンダントに指輪を容易に取り付けることが可能となる。また、指輪の指挿入孔が正面を向く状態で指輪をペンダントに留められる。
【００１７】
更に、例えば、既存のペンダントトップと指輪とを組み合わせて取り付けることもできるため、ペンダントの使用態様を多様化することができる。
【考案を実施するための最良の形態】
【００１８】
以下、図面を用いて本願考案の指輪留め具Ｆの一実施形態を説明する。
【００１９】
図１は、本願考案の指輪留め具Ｆの使用状態、つまり、当該指輪留め具Ｆを用いて指輪Ｒを留めたペンダントＰを示す斜視図であり、図２は、指輪留め具Ｆを用いて指輪Ｒを留める工程を示す斜視図である。
【００２０】
第一実施形態の指輪留め具Ｆは、図１、図２に示すように、針金などの１本の棒状部材である金属製の線状材に曲げ加工を施して形成した指輪留め具Ｆであり、後述する指輪係止部１の中心に対して点対称な形状を成している。
【００２１】
具体的には、環状の指輪本体Ｒ１を具備する指輪ＲをペンダントＰに留める指輪留め具Ｆにおいて、前記指輪本体Ｒ１に開口する指挿入孔Ｒ２を用いて前記指輪Ｒを係止可能な指輪係止部１と、当該指輪係止部１を前記ペンダントＰのチェーンＣに取り付ける一対のチェーン取付部２，３（第一チェーン取付部２、第二チェーン取付部３）とを具備している。更に、前記一対のチェーン取付部２，３を前記チェーンＣの長手方向に離間させた位置に設けると共に、当該一対のチェーン取付部２，３の間に前記指輪Ｒを挿入可能とする指輪挿入口４を形成し、当該指輪挿入口４から前記指輪Ｒを挿通して前記指挿入孔Ｒ２にて形成する指挿入孔面の面方向を前記チェーンＣの長手方向と略平行な状態として、前記指輪係止部１に指輪Ｒを係止可能に構成していることを特徴とする指輪留め具Ｆである。
【００２２】
以下、各構成について詳述する。
【００２３】
指輪係止部１は、下方に向けて膨出する側面視部分円弧形状を成す湾曲部材であり、指輪Ｒを係止する係止軸１１と、当該係止軸１１に係止した指輪Ｒの前方への移動を規制する前規制要素１２と、指輪Ｒの後方への移動を規制する後規制要素１３とを具備している。
【００２４】
係止軸１１は、前記チェーンＣの長手方向と略直交する方向に延びており、前記指挿入孔Ｒ２の中に当該係止軸１１を挿通可能に構成している。尚、指輪Ｒを係止した状態においては、指輪本体Ｒ１の内面は係止軸１１の外面と摺動可能に当接している。
【００２５】
前規制要素１２は、前記係止軸１１から連続して緩やかに起立する起立壁であり、前記係止軸１１の前方に設けている。
【００２６】
後規制要素１３は、前記係止軸１１から連続して緩やかに起立する起立壁であり、前記係止軸１１の後方に設けている。
【００２７】
第一チェーン取付部２は、図２に示すように、指輪留め具Ｆの一端（正面視左側）に設けており、ペンダントＰのチェーンＣに対して着脱可能な構成を有している。具体的には、前記チェーンＣを挿通する第一挿通孔２１を具備し、当該第一挿通孔２１の中に前記チェーンＣを遊動可能に挿通してペンダントＰのチェーンＣに前記指輪係止部１を取り付ける。本実施の形態においては、側面視略三角形状を成すように針金を曲げて形成した第一管状部材２２と第二管状部材２３と第三管状部材２４を用いてチェーンＣの長手方向を開放する前記第一挿通孔２１を形成している。
【００２８】
具体的には、水平方向に伸びる第一管状部材２２と、当該第一管状部材２２の後端から連設した第二管状部材２３と、当該第二管状部材２３の上端から連設した第三管状部材２４に囲まれた内方に前記第一挿通孔２１を形成している。
【００２９】
第二チェーン取付部３は、前記第一チェーン取付部２と対向する位置、具体的には、指輪留め具Ｆの他端（正面視右側）に前記第一チェーンＣと一定の離間幅をおいて設けている。当該第二チェーン取付部３は、前記第一チェーン取付部２と略同様の構成、つまり、前記チェーンＣを挿通する第二挿通孔３１を具備し、当該第二挿通孔３１の中に前記チェーンＣを遊動可能に挿通してペンダントＰのチェーンＣに前記指輪係止部１を着脱可能に取り付ける構成を有している。本実施の形態においては、側面視略三角形状を成すように針金を曲げて形成した第一管状部材３２と第二管状部材３４と第三管状部材３３を用いてチェーンＣの長手方向を開放する前記第二挿通孔３１を形成している。
【００３０】
詳述すると、水平方向に伸びる第一管状部材３２と、当該第一管状部材３２の前端から連設した第二管状部材３４と、当該第二管状部材３４の上端から連設した第三管状部材３３に囲まれた内方に前記第二挿通孔３１を形成している。
【００３１】
指輪挿入口４は、前記指輪係止部１の上方（チェーンＣ側）を開放すると共に、前記指輪係止部１の前方及び後方の一部を開放しており、図２（ｂ）に示すように、指輪Ｒの指挿入孔Ｒ２に指輪留め具Ｆの一部、具体的には、チェーン取付部２，３を挿通して一対のチェーン取付部２，３の間に前記指輪Ｒを挿入可能としている。そして、前記係止軸１１に跨る状態で指輪本体Ｒ１を係止する。
【００３２】
第一連結部５は、前記第一チェーン取付部２と前記指輪係止部１とを連結する部材であり、本実施の形態における第一連結部５は、前記第一チェーン取付部２の第三管状部材２４の下端から前記指輪係止部１の前端に向けて前記チェーンＣの長手方向と略平行な方向に延びる水平部材である。
【００３３】
第二連結部６は、前記第二チェーン取付部３と前記指輪係止部１とを連結する部材であり、本実施の形態における第二連結部６は、前記第二チェーン取付部３の第三管状部材３３の下端から前記指輪係止部１の後端に向けて前記チェーンＣの長手方向と略平行な方向に延びる水平部材である。
【００３４】
ペンダントＰは、可撓性を有する一本の金属製チェーンＣと、当該チェーンＣの両端部を着脱可能に連結しチェーンＣを環状とする連結金具（図示しない）とを具備している。
【００３５】
指輪Ｒは、環状の指輪本体Ｒ１を具備し、当該指輪本体Ｒ１に指を挿入する指挿入孔Ｒ２を開口している。
【００３６】
次に、当該指輪留め具Ｆを用いてペンダントＰに指輪Ｒを留める工程を、図１、図２を参照して説明する。
【００３７】
まず、図２（ｂ）に示すように、指輪Ｒの指挿入孔Ｒ２に指輪留め具Ｆの一部、具体的には、第二チェーン取付部３を前記指輪挿入口４から挿通して一対のチェーン取付部２，３の間に前記指輪Ｒを挿入する。そして、前記指挿入孔Ｒ２にて形成する指挿入孔面の面方向を前記チェーンＣの長手方向と略平行な状態として、前記指輪係止部１に指輪Ｒを係止する。
【００３８】
その後、図２（ｃ）に示すように、前記第一チェーン取付部２の第一挿通孔２１及び第二チェーン取付部３の第二挿通孔３１にチェーンＣを挿通する。尚、チェーンＣを挿通すると、指輪留め具Ｆ及びチェーンＣにより閉塞された状態となるため、指輪Ｒは指輪留め具Ｆから抜け落ちることは無い。
【００３９】
また、図５に示すように、バチカンＰＴ１の下部に装飾体ＰＴ２を固着した他のペンダントトップＰＴと組み合わせることもできる。具体的には、前記指輪係止部１に指輪Ｒを係止した後に、前記第一チェーン取付部２の第一挿通孔２１、バチカンＰＴ１の挿通孔、第二チェーン取付部３の第二挿通孔３１の順にチェーンＣを挿通する。
【００４０】
次に、第二実施形態について、図６乃至図８を参照して説明する。
【００４１】
尚、第一実施形態と同様の構成については同じ符号を付与している。
【００４２】
第二実施形態における指輪留め具Ｆは、図６に示すように、前記第一実施形態の構成に加えて、前記指輪本体Ｒ１に取り付けた装飾体Ｒ３を上向きに保持する装飾体保持部７を設けていることを特徴とする。
【００４３】
第二実施形態の指輪留め具Ｆも、針金などの１本の棒状部材である金属製の線状材に曲げ加工を施して形成した指輪留め具Ｆであり、後述する指輪係止部１の中心に対して点対称な形状を成している。
【００４４】
以下、各構成について詳述する。
【００４５】
指輪係止部１は、下方に向けて膨出する側面視部分円弧形状を成す湾曲部材であり、指輪Ｒを係止する係止軸１１と、当該係止軸１１に係止した指輪Ｒの前方への移動を規制する前規制要素１２と、指輪Ｒの後方への移動を規制する後規制要素１３とを具備している。
【００４６】
係止軸１１は、前記チェーンＣの長手方向と略直交する方向に延びており、前記指挿入孔Ｒ２の中に当該係止軸１１を挿通可能に構成している。指輪Ｒを係止した状態において、指輪本体Ｒ１の内面は係止軸１１の外面と摺動可能に当接している。
【００４７】
前規制要素１２は、前記係止軸１１から連続して緩やかに起立する起立壁であり、前記係止軸１１の前方に設けている。
【００４８】
後規制要素１３は、前記係止軸１１から連続して緩やかに起立する起立壁であり、前記係止軸１１の後方に設けている。
【００４９】
第一チェーン取付部２は、指輪留め具Ｆの一端（正面視左側）に設けており、ペンダントＰのチェーンＣに対して着脱可能な構成を有している。具体的には、前記チェーンＣを挿通する第一挿通孔２１を具備し、当該第一挿通孔２１の中に前記チェーンＣを遊動可能に挿通してペンダントＰのチェーンＣに前記指輪係止部１を取り付ける。本実施の形態においては、第一チェーン取付部２は、針金の一端を側面視略楕円形状に湾曲させて形成した湾曲要素２５と、当該湾曲要素２５から垂下して前記左規制要素７１に連続する垂直要素２６とからなる。当該湾曲要素２５の内部に形成した第一挿通孔２１は、チェーンＣの長手方向を開放している。
【００５０】
第二チェーン取付部３は、前記第一チェーン取付部２と対向する位置、具体的には、指輪留め具Ｆの他端（正面視右側）に前記第一チェーンＣと一定の離間幅をおいて設けている。当該第二チェーン取付部３は、前記第一チェーン取付部２と略同様の構成、つまり、前記チェーンＣを挿通する第二挿通孔３１を具備し、当該第二挿通孔３１の中に前記チェーンＣを遊動可能に挿通してペンダントＰのチェーンＣに前記指輪係止部１を着脱可能に取り付ける構成を有している。本実施の形態においては、第二チェーン取付部３は、針金の一端を側面視鉤状に湾曲させて形成した湾曲要素３５と、当該湾曲要素３５から垂下して前記右規制要素７２に連続する垂直要素３６とからなる。当該湾曲要素３５の内部に形成した第二挿通孔３１は、チェーンＣの長手方向を開放している。
【００５１】
指輪挿入口４は、前記指輪係止部１の上方（チェーンＣ側）を開放すると共に、前記指輪係止部１の前方及び後方の一部を開放しており、指輪Ｒの指挿入孔Ｒ２に指輪留め具Ｆの一部、具体的には、チェーン取付部２，３を挿通して一対のチェーン取付部２，３の間に前記指輪Ｒを挿入可能としている。そして、前記係止軸１１に跨る状態で指輪本体Ｒ１を係止する。
【００５２】
第一連結部５は、後述する左規制要素７１を介して前記第一チェーン取付部２と前記指輪係止部１とを連結する部材であり、本実施の形態における第一連結部５は、前記第一チェーン取付部２の垂直要素２６の下端と連続する前記左規制要素７１の内端から前記指輪係止部１の前端に向けて前記チェーンＣの長手方向と略平行な方向に延びる水平部材である。
【００５３】
第二連結部６は、後述する右規制要素７２を介して前記第二チェーン取付部３と前記指輪係止部１とを連結する部材であり、本実施の形態における第二連結部６は、前記第二チェーン取付部３の垂直要素３６の下端と連続する前記右規制要素７２の内端から前記指輪係止部１の後端に向けて前記チェーンＣの長手方向と略平行な方向に延びる水平部材である。
【００５４】
装飾体保持部７は、図７、図８に示すように、チェーンＣの長手方向へ前記装飾体Ｒ３が移動することを規制する左右の規制要素７１，７２を前記指輪係止部１の周囲に設け、装飾体Ｒ３が自重にて下方に向くことを防止し、前記装飾体Ｒ３を上向きに保持する。
【００５５】
左規制要素７１は、図７（ｃ）に示すように平面視くの字形状を成している。そして、前記係止軸１１の底からの高さ寸法を装飾体Ｒ３の高さ寸法よりも短寸とすると共に、左規制要素７１を前記係止軸１１の左側に位置させることで、前記係止軸１１を軸として左側方に向って装飾体Ｒ３が回動することを防止している。
【００５６】
右規制要素７２は、図７（ｃ）に示すように平面視逆くの字形状を成している。そして、前記係止軸１１の底からの高さ寸法を装飾体Ｒ３の高さ寸法よりも短寸とすると共に、右規制要素７２を前記係止軸１１の右側に位置させることで、前記係止軸１１を軸として右側方に向って装飾体Ｒ３が回動することを防止している。
以上の構成を有する指輪留め具Ｆを用いることにより、以下のような効果を奏する。
【００５７】
指輪Ｒに特別な加工を施すことなく指輪留め具Ｆを用いてペンダントＰに指輪Ｒを容易に取り付けることが可能となる。また、指輪Ｒの指挿入孔Ｒ２が正面を向く状態で指輪ＲをペンダントＰに留められる。
【００５８】
更に、例えば、既存のペンダントトップＰＴと指輪Ｒとを組み合わせて取り付けることもできるため、ペンダントＰの使用態様を多様化することができる。
【００５９】
また、前記指輪係止部１が、前記チェーンＣの長手方向と略直交する方向に延びる係止軸１１を有し、前記指挿入孔Ｒ２に当該係止軸１１を挿通可能に構成しているため、容易に指輪Ｒの向きを望みの方向に向けることができる。
【００６０】
加えて、前記指輪本体Ｒ１に取り付けた装飾体Ｒ３を上向きに保持する装飾体保持部７を設けていることにより、宝飾などの装飾体Ｒ３を見栄えのする場所に位置させることができ、更に装飾性の高いペンダントトップＰＴとして指輪Ｒを活用することが可能となる。
【００６１】
また、チェーンＣの長手方向へ前記装飾体Ｒ３が移動することを規制する規制要素７１，７２を前記指輪係止部１の周囲に設け、前記装飾体Ｒ３を上向きに保持する装飾体保持部７とすることで、簡易な構成にて前記装飾体保持部７を製造できる。
【００６２】
更に、指輪留め具ＦをペンダントＰのチェーンＣに対して着脱可能な構成としているため、手持ちの様々なペンダントＰに当該指輪留め具Ｆを利用することができる。また、不要の際には当該指輪留め具Ｆを外しておくことも可能となる。
【００６３】
加えて、前記チェーン取付部２，３が、チェーンＣを挿通する挿通孔を有していることにより、チェーンＣへの着脱を容易に行える。
【００６４】
また、曲げ加工を施した１本の棒状部材にて構成しているため、当該指輪留め具Ｆを簡易且つ安価に製造できる。
【００６５】
更に、指輪留め具Ｆを前記指輪係止部１の中心に対して点対称な形状としていることで、チェーンＣに対する取り付けの向きを考慮する必要が無くなり、取り付けの利便性を向上することができる。
【００６６】
尚、各部の具体的な構成は、上述した実施形態のみに限定されるものではなく、本考案の趣旨を逸脱しない範囲で種々変形が可能である。
【００６７】
例えば、本実施の形態においては、針金を用いて指輪留め具Ｆを構成しているが、例えば、指輪Ｒを傷つけないようにクッション性を有するゴムなどの素材にて構成することも可能である。
【図面の簡単な説明】
【００６８】
【図１】本考案の第一実施形態に係る指輪留め具Ｆの使用状態を示す斜視図。
【図２】第一実施形態に係る指輪留め具Ｆを用いて指輪Ｒを留める工程を示す斜視図。
【図３】第一実施形態に係る指輪留め具Ｆの使用状態を示す正面図。
【図４】（ａ）第一実施形態に係る指輪留め具Ｆの右側面図。（ｂ）第一実施形態に係る指輪留め具Ｆの正面図。（ｃ）第一実施形態に係る指輪留め具Ｆの平面図。
【図５】第一実施形態に係る指輪留め具Ｆの使用状態を示す正面図。
【図６】第二実施形態に係る指輪留め具Ｆの使用状態を示す正面図。
【図７】（ａ）第二実施形態に係る指輪留め具Ｆの右側面図。（ｂ）第二実施形態に係る指輪留め具Ｆの正面図。（ｃ）第二実施形態に係る指輪留め具Ｆの平面図。
【図８】（ａ）第二実施形態に係る指輪留め具Ｆの使用状態を示す平面図。（ｂ）第二実施形態に係る指輪留め具Ｆの使用状態を示す平面図。
【符号の説明】
【００６９】
Ｃ・・・チェーン
Ｆ・・・指輪留め具
Ｐ・・・ペンダント
Ｒ・・・指輪
Ｒ１・・・指輪本体
Ｒ２・・・指挿入孔
Ｒ３・・・装飾体
１・・・指輪係止部
２・・・チェーン取付部（第一チェーン取付部）
３・・・チェーン取付部（第二チェーン取付部）
４・・・指輪挿入口
７・・・装飾体保持部
１１・・・係止軸
２１・・・挿通孔（第一挿通孔）
３１・・・挿通孔（第二挿通孔）
７１・・・規制要素（左規制要素）
７２・・・規制要素（右規制要素）
【図１】
0003132887.tif 000003
【図２】
0003132887.tif 000004
【図３】
0003132887.tif 000005
【図４】
0003132887.tif 000006
【図５】
0003132887.tif 000007
【図６】
0003132887.tif 000008
【図７】
0003132887.tif 000009
【図８】
0003132887.tif 000010